(57)【要約】【課題】複数の表示機器間において、表示情報を共有するとともに同期して表示制御を行うことができる表示装置を提供する。【解決手段】表示データを記憶する記憶手段と、表示データを表示する表示手段と、通信対象機器との間で情報通信を行う第１の情報通信手段と、第１の情報通信手段の通信速度より低速でありかつ第１の情報通信手段の通信可能距離より長距離であり、通信対象機器との間で情報通信を行う第２の情報通信手段と、第１の情報通信手段によって、表示データを通信対象機器から受信して、記憶手段に記憶させる表示データ取得手段と、第２の情報通信手段によって、入力操作内容を示す入力操作情報を通信対象機器へ送信する送信手段と、入力操作情報に基づいて、表示手段に表示する表示データの表示を制御する制御手段とを備えた。【選択図】図１
2008205776.tif 000002
【特許請求の範囲】
【請求項１】
表示データを記憶する記憶手段と、
前記表示データを表示する表示手段と、
通信対象機器との間で情報通信を行う第１の情報通信手段と、
前記第１の情報通信手段の通信速度より低速でありかつ前記第１の情報通信手段の通信可能距離より長距離であり、前記通信対象機器との間で情報通信を行う第２の情報通信手段と、
前記第１の情報通信手段によって、前記表示データを前記通信対象機器から受信して、前記記憶手段に記憶させる表示データ取得手段と、
前記第２の情報通信手段によって、入力操作内容を示す入力操作情報を前記通信対象機器へ送信する送信手段と、
前記入力操作情報に基づいて、前記表示手段に表示する前記表示データの表示を制御する制御手段と
を備えたことを特徴とする表示装置。
【請求項２】
前記第２の情報通信手段によって、前記通信対象機器から入力操作内容を示す入力操作情報を受信する受信手段をさらに備えたことを特徴とする表示装置。
【請求項３】
前記第１の情報通信手段は、電磁誘導方式による通信方式であることを特徴とする請求項１または２に記載の表示装置。
【請求項４】
前記第１の情報通信手段は、前記表示データの送受信時に機器相互間の認証を行うことを特徴とする請求項１から３のいずれかに記載の表示装置。
【請求項５】
前記第２の情報通信手段は、前記認証が有効な期間のみに情報通信が可能であることを特徴とする請求項４に記載の表示装置。
【請求項６】
前記認証が有効でなくなった時点で前記記憶手段に記憶されている表示データを無効化することを特徴とする請求項４または５に記載の表示装置。
【請求項７】
前記表示データの無効化は、該表示データを削除することにより行うことを特徴とする請求項６に記載の表示装置。
【請求項８】
表示データを記憶する記憶手段と、前記表示データを表示する表示手段と、情報通信を行う第１の情報通信手段と、前記第１の情報通信手段の通信速度より低速でありかつ前記第１の情報通信手段の通信可能距離より長距離であり、情報通信を行う第２の情報通信手段とをそれぞれ備えた第１と第２の表示装置からなる表示システムであって、
前記第１の情報通信手段によって、前記第１の表示装置から前記表示データを受信することにより前記第２の表示装置の記憶手段に前記表示データを記憶させる表示データ取得手段と、
前記第２の情報通信手段によって、前記第１の表示装置における入力操作内容を示す入力操作情報を前記第２の表示装置へ送信する送信手段と、
前記入力操作情報に基づいて、前記第２の表示装置の前記表示手段に表示する前記表示データの表示を制御する制御手段と
を備えたことを特徴とする表示システム。
【請求項９】
表示データを記憶する記憶手段と、前記表示データを表示する表示手段と、通信対象機器との間で情報通信を行う第１の情報通信手段と、前記第１の情報通信手段の通信速度より低速でありかつ前記第１の情報通信手段の通信可能距離より長距離であり、前記通信対象機器との間で情報通信を行う第２の情報通信手段とを備えた表示装置における制御方法であって、
前記第１の情報通信手段によって、前記表示データを前記通信対象機器から受信して、前記記憶手段に記憶させる表示データ取得ステップと、
前記第２の情報通信手段によって、入力操作内容を示す入力操作情報を前記通信対象機器へ送信する送信ステップと、
前記入力操作情報に基づいて、前記表示手段に表示する前記表示データの表示を制御する制御ステップと
を有することを特徴とする表示装置の制御方法。
【請求項１０】
表示データを記憶する記憶手段と、前記表示データを表示する表示手段と、通信対象機器との間で情報通信を行う第１の情報通信手段と、前記第１の情報通信手段の通信速度より低速でありかつ前記第１の情報通信手段の通信可能距離より長距離であり、前記通信対象機器との間で情報通信を行う第２の情報通信手段とを備えた表示装置上で動作する制御プログラムであって、
前記第１の情報通信手段によって、前記表示データを前記通信対象機器から受信して、前記記憶手段に記憶させる表示データ取得処理と、
前記第２の情報通信手段によって、入力操作内容を示す入力操作情報を前記通信対象機器へ送信する送信処理と、
前記入力操作情報に基づいて、前記表示手段に表示する前記表示データの表示を制御する制御処理と
をコンピュータに行わせることを特徴とする表示装置の制御プログラム。
【発明の詳細な説明】
【技術分野】
【０００１】
本発明は、複数の表示機器間において、表示情報を共有するとともに同期して表示制御を行うことができる表示システム、表示装置及び制御方法に関する。
【背景技術】
【０００２】
近年、会議においてプロジェクタを用いてプレゼン資料や各種データをスクリーンに表示し、出席者間で情報共有することが一般化してきている。しかしプロジェクタを使った表示では、各出席者間の意見や付加情報を表示されている情報に追加することは難しい。このような問題を解決するために、複数の画像端末で表示及び書き込み情報を共有する仕組みが提案されている（例えば、特許文献１参照）。
【特許文献１】特開平０４−１５４３９０号公報
【発明の開示】
【発明が解決しようとする課題】
【０００３】
しかしながら、特許文献１に記載の従来技術では表示すべき画像情報を表示データが書き換わるたびに通信を使用して送受信するため高速な通信方式が常に必要であり、そのため消費電力が大きくなるという問題がある。消費電力が大きくなると、バッテリのサイズを大きくしなければならず、重量が重くなってしまったり、またはＡＣ電源が必要になるため、表示端末の携帯性が悪化し、情報共有機器としての使い勝手が悪くなってしまうという問題がある。
【０００４】
また、無線通信を用いて情報を共有する場合には情報セキュリティの観点から認証された機器間でのみ表示するべきデータの共有を行えるようにする必要がある。このため、通常はパスワード認証などの操作を必要とする一般的であるが、やはり煩雑な操作となるため表示機器の使い勝手が悪化するという問題がある。
【０００５】
本発明は、このような事情に鑑みてなされたもので、複数の表示機器間において、表示情報を共有するとともに同期して表示制御を行うことができる表示システム、表示装置及び制御方法を提供することを目的とする。
【課題を解決するための手段】
【０００６】
本発明は、表示データを記憶する記憶手段と、前記表示データを表示する表示手段と、通信対象機器との間で情報通信を行う第１の情報通信手段と、前記第１の情報通信手段の通信速度より低速でありかつ前記第１の情報通信手段の通信可能距離より長距離であり、前記通信対象機器との間で情報通信を行う第２の情報通信手段と、前記第１の情報通信手段によって、前記表示データを前記通信対象機器から受信して、前記記憶手段に記憶させる表示データ取得手段と、前記第２の情報通信手段によって、入力操作内容を示す入力操作情報を前記通信対象機器へ送信する送信手段と、前記入力操作情報に基づいて、前記表示手段に表示する前記表示データの表示を制御する制御手段とを備えたことを特徴とする。
この構成によれば、データ量の多い表示データを高速な第１の情報通信手段によって取得し、入力操作情報のみを第２の情報通信手段によって送信するようにしたため、表示データが書き換わるたびに通信を使用して送受信する必要がなくなり、消費電力を削減することができるため、バッテリのサイズを小さくすることができ、表示装置の携帯性を向上させることができる。
【０００７】
本発明は、前記第２の情報通信手段によって、前記通信対象機器から入力操作内容を示す入力操作情報を受信する受信手段をさらに備えたことを特徴とする。
この構成によれば、入力操作情報を複数の表示装置間で送受信することにより、各表示装置において表示されるデータを共有することができるとともに、表示データの表示タイミングも同期させることができる。
【０００８】
本発明は、前記第１の情報通信手段は、電磁誘導方式による通信方式であることを特徴とする。
この構成によれば、表示データを受信する場合に、送信する側の装置から情報通信に必要な電力の供給を受けることができるため、消費電力を節約することができる。
【０００９】
本発明は、前記第１の情報通信手段は、前記表示データの送受信時に機器相互間の認証を行うことを特徴とする。
この構成によれば、各装置間において認証を行うようにしたため、表示データのセキュリティを向上させることができる。
【００１０】
本発明は、前記第２の情報通信手段は、前記認証が有効な期間のみに情報通信が可能であることを特徴とする。
この構成によれば、認証の有効期間を設けたため、表示データのセキュリティをさらに向上させることができる。
【００１１】
本発明は、前記認証が有効でなくなった時点で前記記憶手段に記憶されている表示データを無効化することを特徴とする。
この構成によれば、装置間の認証が無効になった時点で、表示データを無効化するようにしたため、表示データを不正利用されることを防止することができる。
【００１２】
本発明は、前記表示データの無効化は、該表示データを削除することにより行うことを特徴とする。
この構成によれば、表示データを削除するようにしたため、表示データを不正利用されることを防止することができる。
【００１３】
本発明は、表示データを記憶する記憶手段と、前記表示データを表示する表示手段と、情報通信を行う第１の情報通信手段と、前記第１の情報通信手段の通信速度より低速でありかつ前記第１の情報通信手段の通信可能距離より長距離であり、情報通信を行う第２の情報通信手段とをそれぞれ備えた第１と第２の表示装置からなる表示システムであって、前記第１の情報通信手段によって、前記第１の表示装置から前記表示データを受信することにより前記第２の表示装置の記憶手段に前記表示データを記憶させる表示データ取得手段と、前記第２の情報通信手段によって、前記第１の表示装置における入力操作内容を示す入力操作情報を前記第２の表示装置へ送信する送信手段と、前記入力操作情報に基づいて、前記第２の表示装置の前記表示手段に表示する前記表示データの表示を制御する制御手段とを備えたことを特徴とする
この構成によれば、データ量の多い表示データを高速な第１の情報通信手段によって取得し、入力操作情報のみを第２の情報通信手段によって送信するようにしたため、表示データが書き換わるたびに通信を使用して送受信する必要がなくなり、消費電力を削減することができるため、バッテリのサイズを小さくすることができ、表示装置の携帯性を向上させることができる。
【００１４】
本発明は、表示データを記憶する記憶手段と、前記表示データを表示する表示手段と、通信対象機器との間で情報通信を行う第１の情報通信手段と、前記第１の情報通信手段の通信速度より低速でありかつ前記第１の情報通信手段の通信可能距離より長距離であり、前記通信対象機器との間で情報通信を行う第２の情報通信手段とを備えた表示装置における制御方法であって、前記第１の情報通信手段によって、前記表示データを前記通信対象機器から受信して、前記記憶手段に記憶させる表示データ取得ステップと、前記第２の情報通信手段によって、入力操作内容を示す入力操作情報を前記通信対象機器へ送信する送信ステップと、前記入力操作情報に基づいて、前記表示手段に表示する前記表示データの表示を制御する制御ステップとを有することを特徴とする。
この構成によれば、データ量の多い表示データを高速な第１の情報通信手段によって取得し、入力操作情報のみを第２の情報通信手段によって送信するようにしたため、表示データが書き換わるたびに通信を使用して送受信する必要がなくなり、消費電力を削減することができるため、バッテリのサイズを小さくすることができ、表示装置の携帯性を向上させることができる。
【００１５】
本発明は、表示データを記憶する記憶手段と、前記表示データを表示する表示手段と、通信対象機器との間で情報通信を行う第１の情報通信手段と、前記第１の情報通信手段の通信速度より低速でありかつ前記第１の情報通信手段の通信可能距離より長距離であり、前記通信対象機器との間で情報通信を行う第２の情報通信手段とを備えた表示装置上で動作する制御プログラムであって、前記第１の情報通信手段によって、前記表示データを前記通信対象機器から受信して、前記記憶手段に記憶させる表示データ取得処理と、前記第２の情報通信手段によって、入力操作内容を示す入力操作情報を前記通信対象機器へ送信する送信処理と、前記入力操作情報に基づいて、前記表示手段に表示する前記表示データの表示を制御する制御処理とをコンピュータに行わせることを特徴とする。
この構成によれば、データ量の多い表示データを高速な第１の情報通信手段によって取得し、入力操作情報のみを第２の情報通信手段によって送信するようにしたため、表示データが書き換わるたびに通信を使用して送受信する必要がなくなり、消費電力を削減することができるため、バッテリのサイズを小さくすることができ、表示装置の携帯性を向上させることができる。
【発明を実施するための最良の形態】
【００１６】
以下、本発明の一実施形態による表示装置を図面を参照して説明する。図１は同実施形態の構成を示すブロック図である。この図において、符号１は、表示データの作成や他の表示装置に対して表示データを配布するパソコンである。符号２は、携帯型の表示機であり、パソコン１から配布された表示データを表示する。符号３は、投写型の表示機であり、パソコン１から配布された表示データをスクリーン等に投写する。各装置間は、相互に装置認証を行うことにより情報通信することが可能である。
【００１７】
符号１１は、パソコン１の処理動作を統括するＣＰＵである。符号１２は、キーボードやマウスで構成する入力部である。符号１３は、液晶のディスプレイ装置から構成する表示部である。符号１４は、アプリケーションプログラム等が記憶されたＲＯＭである。符号１５は、実行するべきアプリケーションプログラムをロードしたり、表示データを記憶するＲＡＭである。ＲＯＭ１４、ＲＡＭ１５は、それぞれフラッシュメモリで構成されていてもよい。符号１７は、通信相手の表示装置に対して、表示データを送受信する高速近距離通信部である。高速近距離通信部１７は、例えば、通信相手の装置に対して電力を供給するともに、表示データの送信を行うコイルアンテナによって、通信相手の他の表示装置との間で、高速な情報通信が可能な通信方式を用いるものである。符号１８は、離れた位置に存在する他の表示装置との間で、情報通信を行う低速遠距離通信部である。
【００１８】
符号２１は、携帯型表示機２の処理動作を統括するＣＰＵである。符号２２は、タッチペン等を使用したタッチパネルで構成する入力部である。符号２３は、液晶のディスプレイ装置から構成する表示部である。符号２４は、アプリケーションプログラム等が記憶されたＲＯＭである。符号２５は、実行するべきアプリケーションプログラムをロードしたり、表示データを記憶するＲＡＭである。ＲＯＭ２４、ＲＡＭ２５は、それぞれフラッシュメモリで構成されていてもよい。符号２７は、通信相手の表示装置に対して、表示データを送受信する高速近距離通信部である。符号２８は、離れた位置に存在する他の表示装置との間で、情報通信を行う低速遠距離通信部である。
【００１９】
符号３１は、投写型表示機３の処理動作を統括するＣＰＵである。符号３２は、操作キーが配列された操作パネルで構成する入力部である。符号３３は、液晶のディスプレイ装置から構成する表示部である。符号３４は、アプリケーションプログラム等が記憶されたＲＯＭである。符号３５は、実行するべきアプリケーションプログラムをロードしたり、表示データを記憶するＲＡＭである。ＲＯＭ３４、ＲＡＭ３５は、それぞれフラッシュメモリで構成されていてもよい。符号３７は、通信相手の表示装置に対して、表示データを送受信する高速近距離通信部である。符号３８は、離れた位置に存在する他の表示装置との間で、情報通信を行う低速遠距離通信部である。
【００２０】
なお、図１においては、パソコン１、携帯型表示機２、投写型表示機３を１台ずつ備えたシステム構成を示したが、最小となるシステム構成として、パソコン１と携帯型表示機２のみ、携帯型表示機２と投写型表示機３のみ、または、パソコン１と投写型表示機３のみ構成であってもよい。さらには、１台の投写型表示機３と複数の携帯型表示機２とからなるシステム構成、１台のパソコン１と複数の携帯型表示機２とからなるシステム構成、複数の携帯型表示機２のみから構成するシステム構成であってもよい。すなわち、パソコン１、携帯型表示機２、投写型表示機３のそれぞれを使用形態にあわせた台数を任意に決定してシステムを構成すればよい。
【００２１】
次に、高速近距離無線通信と、低速遠距離無線通信との関係について説明する。高速近距離無線通信は、各表示装置において、予め基本表示データを記憶しておくために、基本表示データを記憶している装置（例えば、パソコン１）から他の表示装置（ここでは、携帯型表示機２及び投写型表示機３）へ基本表示データを送信する場合に用いる。すなわち、プレゼンテーションなどを行う前に、データ量の多い基本表示データを各表示装置に配布しておく場合に用いる無線通信である。例えば、基本表示データを送受信する場合、各表示装置を近接させることにより、情報通信に必要な電力が供給されて、内部に記憶されている基本表示データが他の表示装置へ送信され、この基本表示データを受信した表示装置は、内部に受信した基本表示データを記憶する。高速近距離無線通信方式としては、送信側及び受信側の双方にコイル型アンテナを装備し、送信側のコイルアンテナに電流が流れることによって受信側のコイルアンテナに電流が発生して通信及び受電が可能となるＲＦ−ＩＤ（Radio Frequency IDentification）のパッシブ型電磁誘導方式を採用することが可能である。また、ここでいう近距離とは、通信距離が低速遠距離無線通信より短いことを意味する。また、高速とは、低速遠距離無線通信より高速であることを意味する。
【００２２】
一方、低速遠距離無線通信は、通信速度が高速近距離無線通信より遅い（低速）が、通信距離が高速近距離無線通信より長い（近距離）通信方式であり、例えば、通信距離が数ｍ〜数十ｍ程度である。低速遠距離無線通信は、既に基本表示データが配布された各表示装置において、基本表示データに新たに付加された情報や表示制御情報を共有するために、操作が行われた表示装置から他の表示装置に対して、付加された情報や表示制御情報を送信するために用いられる。低速遠距離無線通信方式としては、例えばＢｌｕｅｔｏｏｔｈ（登録商標）やＺｉｇｂｅｅ（登録商標）、低消費電力型のＷｉｂｒｅｅ（登録商標）を用いることが可能である。
【００２３】
次に、図２を参照して、図１に示す各表示装置（パソコン１、携帯型表示機２及び投写型表示機３）の使用例を説明する。まず、パソコン１の作図アプリケーション等を使用して、プレゼンテーションを行うときに使用する表示データを作成する。この表示データが各表示装置において記憶される基本表示データとなる。そして、２台の携帯型表示機２と投写型表示機３のそれぞれに備えられているマーカ２９、３９をパソコン１へ近接させてパソコン１内の基本表示データを各装置へ送信する。これにより、２台の携帯型表示機２及び投写型表示機３のそれぞれ内部にパソコン１内に記憶されている基本表示データと同一のデータが記憶されたことになる。
【００２４】
次に、パソコン１において、基本表示データの表示開始操作が行われると、パソコン１から２台の携帯型表示機２と投写型表示機３のそれぞれに対して、表示開始操作が行われたことを示す入力操作情報が送信される。この入力操作情報を受信した２台の携帯型表示機２と投写型表示機３のそれぞれは、受信した入力操作情報に基づいて、予め記憶しておいた基本表示データを読み出して表示を行う。また、図５に示すように、携帯型表示機２において、タッチペン２２ａを使用して、前ページへ戻る、次ページへ進む等のボタン操作や基本表示データに対して、下線等を付加する操作が行われると、携帯型表示機２から他の装置（他の携帯型表示機２、パソコン１及び投写型表示機３）のそれぞれに対して、携帯型表示機２において操作されたことを示す入力操作情報が送信される。この入力操作情報を受信した他の携帯型表示機２、パソコン１及び投写型表示機３のそれぞれは、受信した入力操作情報に基づいて、現時点で表示されている画像に対して、前ページへ戻る、次ページへ進む等の表示制御や画像に対して下線を付加して表示する動作を行う。
【００２５】
このように、複数の表示装置間で表示データを共有することによって、形態の異なる表示装置の表示画面を同一にすることができるともに、１台の表示装置で操作した内容を他の装置において自動的に反映させるようにしたため、使い勝手を向上させることができる。
【００２６】
次に、図３を参照して、基本表示データを予め各表示装置内に記憶しておく動作を説明する。図３においては、基本表示データが内部に記憶されているパソコン１を送信側とし、基本表示データを受信して新たに内部に記憶する携帯型表示機２を受信側であるものとして説明する。まず、ＣＰＵ１１は、携帯型表示機２が近接したことを検出すると、ＲＯＭ１４から基本表示データを読み出す（ステップＳ１）。そして、高速近距離通信部２７との間で無線通信を確立する。これにより、パソコン１側の高速近距離通信部１７と、携帯型表示機２側の高速近距離通信部２７との間で情報通信が可能となる。
【００２７】
次に、パソコン１と携帯型表示機２は、装置間の認証を行う（ステップＳ２、Ｓ１１）。装置間の認証は、近接通信により機器ＩＤを送受信し、続いて共通暗号鍵をパソコン１側（基本表示データを送信する装置側）から携帯型表示機２側（基本表示データを受信する装置側）に送る。この機器ＩＤは、データを送受信する場合にデータを受け取るべき相手先の識別に用いる。
【００２８】
次に、パソコン１は、読み出した基本表示データに対して、共通暗号鍵を用いて暗号化して、携帯型表示機２に送信する（ステップＳ３）。携帯型表示機２は、この基本表示データを受信して（ステップＳ１２）、この受信した基本表示データを秘密鍵で復号化してＲＡＭ１５に記憶する（ステップＳ１３）。これにより、受信側の表示装置（ここでは、携帯型表示機２）の内部に基本表示データが記憶されたことになる。
【００２９】
そして、パソコン１は、認証データ（機器ＩＤと暗号化に用いる鍵情報）を内部に保持し（ステップＳ４）、認証データを保持する条件を満たしている間この認証データを保持する（ステップＳ５）。同様に、携帯型表示機２は、認証データ（機器ＩＤと暗号化に用いる鍵情報）を内部に保持し（ステップＳ１４）、認証データを保持する条件を満たしている間この認証データを保持する（ステップＳ１５）。パソコン１及び携帯型表示機２の内部に保持している認証データは、保持する条件が満たされなくなった時点（例えば、通信ができなくなってから所定時間が経過した時点）で削除される（ステップＳ６、Ｓ１６）。図３に示すステップＳ４、Ｓ５及びステップＳ１４、Ｓ１５は、以下に説明する付加された情報や表示制御情報を共有する動作中においても並行して実行される。
【００３０】
なお、投写型表示機２に対しても図３に示す動作と同様の動作によって、パソコン１から基本表示データの送信が行われて、受信した基本表示データが投写型表示機３内に記憶されることになる。
【００３１】
次に、図４を参照して、予め基本表示データが内部に記憶されている各表示装置間において、付加された情報や表示制御情報を共有する動作を説明する。ここでは、説明を簡単にするために、投写型表示機３と携帯型表示機２との間において、新たに付加された情報や表示制御情報を共有する動作を説明するが、パソコン１との間においても同様の動作によって新たに付加された情報や表示制御情報を共有することが行われる。
【００３２】
まず、投写型表示機３のＣＰＵ３１は、認証データを検証して（ステップＳ２１）、現時点において、認証データが有効であるか否かを判定する（ステップＳ２２）。この判定の結果、有効でなければ、ＣＰＵ３１は、内部に保持している基本表示データを無効化する（ステップＳ２３）。これと並行して、携帯型表示機２のＣＰＵ２１は、認証データを検証して（ステップＳ３１）、現時点において、認証データが有効であるか否かを判定する（ステップＳ３２）。この判定の結果、有効でなければ、ＣＰＵ２１は、内部に保持している基本表示データを無効化する（ステップＳ３３）。
【００３３】
このように、投写型表示機３および携帯型表示機２のお互いの認証データ検証動作によって、例えば低速遠距離通信の通信ができない状態になってから所定時間（例えば３０分）経過した場合に認証データが無効となるため、低速遠距離通信では一定距離以上に表示装置が離れた場合には通信が不可能になる。例えば会議室での会議が終わって各携帯表示機２を持つ個人が会議室を出ると通信ができなくなるため、通信ができなくなってから３０分後にはデータを見られなくする、あるいは、会議が終わって会議室を出ると自動でデータが消えるといった、非常に直感的で簡単な使い方ができる。また所定時間を無限大に設定すれば、いつまでも見ることができるように設定することも可能であり、種々の使い方に柔軟に対応することができる。なお、基本表示データの無効化とは、基本表示データを受信した表示装置においては、例えば記憶されているデータを削除することである。また、基本表示データを送信した表示装置における基本表示データの無効化とは、例えば機器認証を行った相手の表示装置との間で表示制御を同期させて行う動作を停止することである。なお、基本表示データを送信した表示装置における基本表示データの無効化を行う場合には、基本表示データの削除を行うか否かをユーザが選択できるようにしてもよい。
【００３４】
一方、認証データが有効である場合、ＣＰＵ３１は、入力部３２における入力操作の内容を読み取り（ステップＳ２４）、この入力操作内容に基づいて、投写表示部３３に表示されている表示画像の表示制御を行う（ステップＳ２５）。ここでいう入力操作とは、表示ページの次へ進める、表示ページを前に戻す等の表示制御を行う操作である。
【００３５】
続いて、ＣＰＵ３１は、入力部３２において入力された操作内容を示す入力操作情報を、内部に保持している共通鍵を使用して暗号化し、他の表示装置（ここでは、携帯型表示機２）に対して送信する（ステップＳ２６）。この入力操作情報の送信は、投写型表示機３において入力操作が行われた場合のみに行われる。この入力操作情報は、携帯型表示機２が受信し（ステップＳ３７）、秘密鍵によって復号化され、この受信した入力操作情報に基づいて、携帯型表示機２における表示制御が行われる（ステップＳ３８）。これにより、投写型表示機３において操作された入力操作が携帯型表示機２においても行われたものと見なして表示制御を他の装置と同期して行うことが可能となる。
【００３６】
投写型表示機３の動作（ステップＳ２４〜Ｓ２８）と並行して、携帯型表示機２においても同様の動作が実行される。認証データが有効である場合、ＣＰＵ２１は、入力部２２における入力操作の内容を読み取り（ステップＳ３４）、この入力操作内容に基づいて、表示部２３に表示されている表示画像の表示制御を行う（ステップＳ３５）。ここでいう入力操作は、図５に示すように、タッチペン２２ａによって、表示ページの次へ進める、表示ページを前に戻す、表示されている基本表示データに対して、下線を付加する、任意の図形を描画する等の操作である。
【００３７】
続いて、ＣＰＵ２１は、入力部２２において入力された操作内容を示す入力操作情報を、内部に保持している共通鍵を使用して暗号化し、他の表示装置（ここでは、投写型表示機３）に対して送信する（ステップＳ３６）。この入力操作情報の送信は、携帯型表示機２において入力操作が行われた場合のみに行われる。この入力操作情報は、投写型表示機３が受信し（ステップＳ２７）、秘密鍵によって復号化され、この受信した入力操作情報に基づいて、投写型表示機３における表示制御（例えば、下線が付加される等）が行われる（ステップＳ２８）。これにより、携帯型表示機２において操作された入力操作が投写型表示機３においても行われたものと見なされて表示制御を他の装置と同期して行うことが可能となる。そして、投写型表示機３及び携帯型表示機２のそれぞれにおいて、前述した動作が表示終了まで続行する（ステップＳ２９、Ｓ３９）。
【００３８】
なお、パソコン１においても図４に示す動作と同様の動作によって、他の表示装置との間で入力操作情報の送受信が行われて、基本表示データに対して新たに付加された情報や表示制御の情報に基づいてパソコン１の表示部１３の表示内容が制御されることになる。
【００３９】
このように、高速近距離通信方式を用いてデータ量が多い表示データを各表示装置に転送し記憶するとともに、同時に表示装置間の認証を行ようにし、その後低速遠距離通信方式を用いて表示操作指示及び付加情報のみを送受信するようにしたため、各表示装置間で同期して表示することができるようになり、表示装置の低消費電力化、またそれに伴う携帯性の向上および認証手続きの簡素化による使い勝手の向上を実現することができる。また、基本表示データを事前に各装置に対して配信しておくようにして、操作が行われる度に、全ての情報を送信する必要がないようにしたため、情報量の多い動画データ等を扱うことも可能となる。
【００４０】
また、比較的情報量の多い基本表示データの送受信をパッシブ型電磁誘導方式を採用するようにしたため、携帯型表示機２へのデータ転送時における消費電力を非常に少なくすることができ、これによって携帯型表示機２の小型・軽量化や、バッテリの長時間駆動を実現することができる。また消費電力が少ない低速遠距離通信を用いて、ページ送り指示や、表示データに対して下線を引く等の付加情報を各表示装置間で送受信することにより共有するようにしたため、全ての表示装置間で同じ表示を同じタイミングで見ることができる。この場合送受信しているのは操作指示や付加情報等のデータ量の少ないデータであるため、低速遠距離通信の転送速度でも十分リアルタイム性が保持でき、データ送受信の遅れによる操作レスポンスの悪化などを防止することができる。また低速遠距離通信はデータ転送速度をあまり上げていないために省電力であり、バッテリの長時間駆動を両立できる。
【００４１】
なお、表示操作指示情報及び付加情報は、一方の表示装置から他方の表示装置に対して送信するのみであってもよい。例えば、投写型表示機３から携帯型表示機２に対して、常に表示操作指示情報を送信し、携帯型表示機２は、投写型表示機３からこの表示操作指示情報を常に受信のみを行ってもよい。すなわち、各表示装置は、表示操作指示情報及び付加情報を常に送信のみ行う機能、または常に受信のみを行う機能のいずれかを備えている構成であってもよい。
【００４２】
なお、図１における処理部の機能を実現するためのプログラムをコンピュータ読み取り可能な記録媒体に記録して、この記録媒体に記録されたプログラムをコンピュータシステムに読み込ませ、実行することにより表示データの表示制御処理を行ってもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００４３】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００４４】
【図１】本発明の一実施形態の構成を示すブロック図である。
【図２】図１に示す各装置の関係を示す説明図である。
【図３】図１に示す装置の動作を示すフローチャートである。
【図４】図１に示す装置の動作を示すフローチャートである。
【図５】図１に示す携帯型表示機２の表示部２３の表示例を示す説明図である。
【符号の説明】
【００４５】
１・・・パソコン、１１・・・ＣＰＵ、１２・・・入力部、１３・・・表示部、１４・・・ＲＯＭ、１５・・・ＲＡＭ、１７・・・高速近距離通信部、１８・・・低速遠距離通信部、２・・・携帯型表示機、２１・・・ＣＰＵ、２２・・・入力部、２３・・・表示部、２４・・・ＲＯＭ、２５・・・ＲＡＭ、２７・・・高速近距離通信部、２８・・・低速遠距離通信部、３・・・投写型表示機、３１・・・ＣＰＵ、３２・・・入力部、３３・・・投写表示部、３４・・・ＲＯＭ、３５・・・ＲＡＭ、３７・・・高速近距離通信部、３８・・・低速遠距離通信部
【図１】
2008205776.tif 000003
【図２】
2008205776.tif 000004
【図３】
2008205776.tif 000005
【図４】
2008205776.tif 000006
【図５】
2008205776.tif 000007